【手続補正書】
【提出日】平成20年2月27日(2008.2.27)
【手続補正１】
【補正対象書類名】明細書
【補正対象項目名】特許請求の範囲
【補正方法】変更
【補正の内容】
【特許請求の範囲】
【請求項１】
第１のピクセル値と第２のピクセル値を合成するための装置であって、
前記第１および第２のピクセル値の各々について、不透明度値および色値を使用して、結合された範囲未修正の色値を計算するための論理手段と、
前記第１および第２のピクセル値のための不透明度値を用いて第３のピクセル値のための結合された範囲未修正の不透明度値を計算する手段と、
前記結合された範囲未修正の不透明度値を使用して、所定の複数の範囲未修正の不透明度逆数値から範囲未修正の不透明度逆数値を選択するための選択手段と、
前記範囲未修正の不透明度逆数値に、前記結合された範囲未修正の色値を乗じて、前記第３のピクセルに対する範囲修正済の最終合成色値を決定するための乗算器手段と、
結合された範囲未修正の不透明度値を受付け、前記第３のピクセルに対する範囲修正済の最終合成不透明度値を計算するように構成されている、前記結合された範囲未修正の不透明度値を所定の数で割るための除算器手段とを含むことを特徴とする装置。
【請求項２】
前記選択手段は参照テーブルを含むことを特徴とする請求項１に記載の装置。
【請求項３】
前記第１および第２のピクセル値の各々に対する前記不透明度値および前記色値を受信するための複数の入力をさらに含むことを特徴とする請求項１に記載の装置。
【請求項４】
前記第１のピクセルおよび前記第２のピクセルの各々に対する前記色値に対して、算術演算およびラスタ演算を実行するための演算ユニットと、
前記範囲修正済の最終合成色値および最終不透明度値を記憶するためのバッファ手段とをさらに含むことを特徴とする請求項１に記載の装置。
【請求項５】
前記不透明度値および前記色値が複数のビットとして表されることを特徴とする請求項１に記載の装置。
【請求項６】
前記不透明度値および前記色値が８ビットワードとして表されることを特徴とする請求項１に記載の装置。
【請求項７】
前記所定の数が２５５であることを特徴とする請求項５に記載の装置。
【請求項８】
前記除算器手段が、前記結合された範囲未修正の不透明度値を、前記結合された範囲未修正の不透明度値の大きさにより、増分するための加算器手段を含むことを特徴とする請求項１に記載の装置。
【請求項９】
第１のピクセル値と第２のピクセル値を合成するための装置であって、
前記第１のピクセルおよび前記第２のピクセルの各々について、不透明度値および色値を受信するための複数の入力手段と、
前記不透明度値および前記色値を使用して、結合された範囲未修正の色を計算するための論理手段と、
前記第１および第２のピクセル値のための不透明度値を用いて第３のピクセル値のための結合された範囲未修正の不透明度値を計算する手段と、
前記結合された不透明度値を使用して、所定の複数の範囲未修正の不透明度逆数値から範囲未修正の不透明度逆数値を選択するための選択手段と、
前記範囲未修正の不透明度逆数値に、前記結合された範囲未修正の色値を乗じて、第３のピクセルに対する範囲修正済の最終合成色値を決定するための乗算器手段と、
結合された範囲未修正の不透明度値を受付け、前記第３のピクセルに対する範囲修正済の最終合成不透明度値を計算するように構成されている、前記結合された範囲未修正の不透明度値を所定の数で割るための除算器手段と
を含むことを特徴とする装置。
【請求項１０】
前記選択手段が参照テーブルを含むことを特徴とする請求項９に記載の装置。
【請求項１１】
前記第１のピクセルおよび前記第２のピクセルの各々に対する前記色値に対して、算術演算およびラスタ演算を実行するための演算ユニットと、
範囲修正済の最終合成色値および最終不透明度値を記憶するためのバッファ手段とをさらに含むことを特徴とする請求項９に記載の装置。
【請求項１２】
前記不透明度値および前記色値が複数のビットとして表されることを特徴とする請求項９に記載の装置。
【請求項１３】
前記不透明度値および前記色値が８ビットワードとして表されることを特徴とする請求項９に記載の装置。
【請求項１４】
前記所定の数が２５５であることを特徴とする請求項９に記載の装置。
【請求項１５】
前記除算器手段が、前記結合された範囲未修正の不透明度値を、前記結合された範囲未修正の不透明度値の大きさにより、増分するための加算器手段を含むことを特徴とする請求項９に記載の装置。
【請求項１６】
第１のピクセル値と第２のピクセル値を合成するための方法であって、
前記第１のピクセルおよび前記第２のピクセルの各々について、不透明度値および色値を入力するステップと、
前記不透明度値および前記色値を使用して、結合された範囲未修正の色値を計算するステップと、
前記結合された範囲未修正の不透明度値を使用して、範囲未修正の複数の不透明度の所定の逆数値から、範囲未修正の不透明度逆数値を選択するステップと、前記範囲未修正の不透明度逆数値に前記結合された範囲未修正の色値を乗じて、第３のピクセルに対する範囲修正済の最終合成色値を生成するステップと、
結合された範囲未修正の不透明度値を受付け、第３のピクセルに対する範囲修正済の最終合成不透明度値が、前記合成された範囲未修正の不透明度値が計算された後で決定される、前記結合された範囲未修正の不透明度値を所定の数で割って、前記第３のピクセルに対する範囲修正済の最終合成不透明度値を生成するステップと
を含むことを特徴とする方法。
【請求項１７】
前記第１のピクセルおよび前記第２のピクセルの各々に対する前記色値に対して、算術演算およびラスタ演算を実行するステップと、
前記範囲修正済の最終合成色値および最終不透明度値を記憶するステップとを含むことを特徴とする請求項１６に記載の方法。
【請求項１８】
前記不透明度値および前記色値が複数のビットとして表されることを特徴とする請求項１６に記載の方法。
【請求項１９】
前記不透明度値および前記色値が８ビットワードとして表されることを特徴とする請求項１６に記載の方法。
【請求項２０】
前記所定の数が２５５であることを特徴とする請求項１６に記載の方法。
【請求項２１】
前記結合された範囲未修正の不透明度値を、結合された前記不透明度値の大きさにより、増分するステップをさらに含むことを特徴とする請求項１６に記載の方法。
【請求項２２】
第１のピクセル値と第２のピクセル値を合成する手順をコンピュータに実行させるように構成されたプログラムが記録されているコンピュータ可読媒体であって、
前記第１のピクセルおよび前記第２のピクセルの各々について、不透明度値および色値を入力するための手順と、
前記不透明度値および前記色値を使用して、未修正結合された範囲未修正の色値を計算するための手順と、
前記結合された範囲未修正の不透明度値を使用して、所定の複数の範囲未修正の不透明度逆数値から範囲未修正の不透明度逆数値を選択するためのコードと、前記範囲未修正の不透明度逆数値に前記結合された範囲未修正の色値を乗じて、第３のピクセルに対する範囲修正済の最終合成色値を生成するための手順と、
結合された範囲未修正の不透明度値を受付け、第３のピクセルに対する範囲修正済の最終合成不透明度値が、合成された範囲未修正の不透明度値が計算された後に決定される、前記結合された範囲未修正の不透明度値を所定の数で割って、前記第３のピクセルに対する範囲修正済の最終合成不透明度値を生成するための手順とをコンピュータに実行させるためのプログラムを記録したことを特徴とする媒体。
【手続補正２】
【補正対象書類名】明細書
【補正対象項目名】０００７
【補正方法】変更
【補正の内容】
【０００７】
【課題を解決するための手段】
本発明の一態様によれば、第１のピクセル値と第２のピクセル値を合成するための装置が提供され、前記装置は、前記第１および第２のピクセル値の各々について、不透明度値および色値を使用して、結合された範囲未修正の色値を計算するための論理手段と、前記第１および第２のピクセル値のための不透明度値を用いて第３のピクセル値のための結合された範囲未修正の不透明度値を計算する手段と、前記結合された範囲未修正の不透明度値を使用して、所定の複数の範囲未修正の不透明度逆数値から範囲未修正の不透明度逆数値を選択するための選択手段と、前記範囲未修正の不透明度逆数値に、前記結合された範囲未修正の色値を乗じて、前記第３のピクセルに対する範囲修正済の最終合成色値を決定するための乗算器手段と、結合された範囲未修正の不透明度値を受付け、前記第３のピクセルに対する範囲修正済の最終合成不透明度値を計算するように構成されている、前記結合された範囲未修正の不透明度値を所定の数で割るための除算器手段とを含む。
【手続補正３】
【補正対象書類名】明細書
【補正対象項目名】０００８
【補正方法】変更
【補正の内容】
【０００８】
本発明の別の態様によれば、第１のピクセル値と第２のピクセル値を合成するための装置が提供され、前記装置は、第１のピクセル値と第２のピクセル値を合成するための装置であって、前記第１のピクセルおよび前記第２のピクセルの各々について、不透明度値および色値を受信するための複数の入力手段と、前記不透明度値および前記色値を使用して、結合された範囲未修正の色を計算するための論理手段と、前記第１および第２のピクセル値のための不透明度値を用いて第３のピクセル値のための結合された範囲未修正の不透明度値を計算する手段と、前記結合された不透明度値を使用して、所定の複数の範囲未修正の不透明度逆数値から範囲未修正の不透明度逆数値を選択するための選択手段と、前記範囲未修正の不透明度逆数値に、前記結合された範囲未修正の色値を乗じて、第３のピクセルに対する範囲修正済の最終合成色値を決定するための乗算器手段と、結合された範囲未修正の不透明度値を受付け、前記第３のピクセルに対する範囲修正済の最終合成不透明度値を計算するように構成されている、前記結合された範囲未修正の不透明度値を所定の数で割るための除算器手段とを含む。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】